(57)【要約】      （修正有）【課題】死亡広告を伝えるべき人のみに知らせることを可能にするシステムを提供する。【解決手段】死亡広告掲載申込者からの情報を記憶する死亡広告掲載申込者側データベースと、ユーザからのユーザの属性の情報を記憶するユーザ側データベースとを有するサーバ装置と、サーバ装置に死亡広告の情報の送信が可能な死亡広告掲載申込者側端末装置と、サーバ装置から死亡広告の情報の受信が可能なユーザ側端末装置とを備え、サーバ装置は、ユーザ側端末装置から受信したユーザの属性の情報をユーザ側データベースに記憶し、死亡広告掲載申込者側端末装置から受信した死亡広告の情報を死亡広告掲載申込者側データベースに記憶し、ユーザ側データベースに記憶されているユーザの属性の情報と、死亡広告掲載申込者側データベースに記憶されている故人の属性の情報とを比較し、両属性の情報が一致している場合には、死亡広告の情報を、ユーザ側端末装置へ配信する。【選択図】図２
2011165057.tif 000002
【特許請求の範囲】
【請求項１】
死亡広告の情報を提供するサービスを実行するプログラムと、死亡広告掲載申込者からの故人の属性と死亡広告の情報を記憶する死亡広告掲載申込者側データベースと、ユーザからのユーザの属性の情報を記憶するユーザ側データベースとを有するサーバ装置と、
前記サーバ装置にインターネット回線を介して故人の属性と死亡広告の情報の送信が可能な死亡広告掲載申込者側端末装置と、
前記サーバ装置に前記インターネット回線を介して予めユーザの属性の情報を送信し、前記サーバ装置から死亡広告の情報の受信が可能なユーザ側端末装置とを備え、
前記サーバ装置は、前記プログラムを実行し、
前記ユーザ側端末装置から受信したユーザの属性の情報を前記ユーザ側データベースに記憶し、
前記死亡広告掲載申込者側端末装置から受信した故人の属性と死亡広告の情報を前記死亡広告掲載申込者側データベースに記憶し、
前記ユーザ側データベースに記憶されているユーザの属性の情報と、前記死亡広告掲載申込者側データベースに記憶されている故人の属性の情報とを比較し、
前記両属性の情報が一致している場合には、
前記死亡広告の情報を、前記ユーザ側端末装置へ配信することを特徴とする死亡広告情報提供システム。
【請求項２】
前記故人の属性の情報と、前記ユーザの属性の情報は、都道府県、出身校、職歴を含み、
前記都道府県、出身校、職歴のうち少なくとも１以上が一致している場合には、
前記死亡広告の情報を配信することを特徴とする請求項１に記載の死亡広告情報提供システム。
【請求項３】
前記死亡広告の情報は、葬儀が開催される場所のＵＲＬや葬儀場のＵＲＬを含むことを特徴とする請求項１または請求項２に記載の死亡広告情報提供システム。
【請求項４】
前記ユーザ側端末装置は、ユーザのメールアドレスを前記ユーザ側データベースに登録可能であり、
前記両属性の情報が一致している場合には、
前記メールアドレスに対して前記死亡広告の情報を知らせるメールが送信されることを特徴とする請求項１乃至請求項３のいずれか１項に記載の死亡広告情報提供システム。
【請求項５】
前記ユーザ側端末装置は、前記サーバ装置へアクセスし、弔電の申込、または供花の申込が可能であることを特徴とする請求項１乃至請求項４のいずれか１項に記載の死亡広告情報提供システム。
【請求項６】
前記ユーザ側端末装置は、前記サーバ装置へアクセスし、
前記サーバ装置から配信された前記死亡広告の情報の履歴を閲覧可能であることを特徴とする請求項１乃至請求項４のいずれか１項に記載の死亡広告情報提供システム。
【請求項７】
前記ユーザ側端末装置は、前記サーバ装置へアクセスし、
前記サーバ装置から配信された前記死亡広告の情報を検索可能であることを特徴とする請求項１乃至請求項４のいずれか１項に記載の死亡広告情報提供システム。
【発明の詳細な説明】
【技術分野】
【０００１】
この発明は、死亡広告の情報を伝えるべき人のみに知らせることが可能な死亡広告情報提供システムに関する。
【背景技術】
【０００２】
従来、死亡広告は、故人の遺族が新聞の紙面を通じ、当事者の死去と通夜、葬式日程などを知らせるものであり、これらの知らせるべき内容を黒枠で囲まれた中に掲載している。通夜、葬儀の参加者は、主に親戚関係、友人関係、仕事関係等であるが、通夜、葬儀情報は遺族からの直接または人づてからの連絡、若しくは新聞の死亡広告で知ることになる。
【０００３】
遺族は、誰に連絡すべきか死後は確認ができず、また他に媒体がないため、例えば新聞の紙面を通じた死亡広告というメディアを通じて告知することになる。新聞の読者は、掲載される死亡広告が自分に関係あるないに関わらず、毎日内容を確認する必要がある。このため、新聞の膨大な紙面の中で偶然見落としてしまった場合や自分と関係のあった人か記憶が曖昧であった場合は見過ごしてしまう危険性もあるし、別の新聞を購読していた場合は情報すら届かないことがある。
【０００４】
また、地方新聞の掲載が多いため、そこに住んでいない人にとっては、関係者から連絡が届かない限り、情報をリアルタイムに得ることが難しい。また、新聞に広告する場合には、掲載されるまでのタイムラグも最短で半日あり、新聞休刊日や正月は死亡広告を掲載できないという制約等があるため、掲載日が葬式当日になってしまう可能性もあり、葬式参加者にとって使い勝手が良いとはいえないし、割高な掲載料金に対し、費用に見合った効果があるのかも疑問である。
【０００５】
また、新聞紙上に掲載される死亡広告の文面は、従来通り各新聞社の規定書式に従った一般的且つ定型的な内容であるため、より詳細で個人的な情報を掲載するためには、誤報を防ぐ意味もあって、遺族、葬儀社、広告代理店及び新聞社との間で、掲載内容についての打ち合わせや校正等、広告原稿作成に関する頻繁且つ煩雑なやりとりを短時間（遅くとも葬儀前日まで）に行うことが必要であるため、より詳細で個人的な情報を、インターネットを介して容易に閲覧することが可能な死亡広告関連情報提供システムが提案されている（特許文献１）。
【先行技術文献】
【特許文献】
【０００６】
【特許文献１】特開２００３−５０８７３
【発明の概要】
【発明が解決しようとする課題】
【０００７】
このように、死亡広告は、故人の遺族が新聞の紙面を通じ行い、またはインターネットを介して情報端末装置より閲覧可能としたものがあるが、いずれの場合でも膨大な死亡広告を毎日確認することは難しく、偶然見落としてしまった場合や自分と関係のあった人か記憶が曖昧であった場合には見過ごしてしまう危険性は避けられなかった。
【０００８】
この発明は、このような実情に鑑みてなされたもので、死亡広告の情報を伝えるべき人のみに知らせることが可能な死亡広告情報提供システムを提供することを目的とする。
【課題を解決するための手段】
【０００９】
前記課題を解決し、かつ目的を達成するために、この発明は、以下のように構成した。
【００１０】
請求項１に記載の発明は、死亡広告の情報を提供するサービスを実行するプログラムと、死亡広告掲載申込者からの故人の属性と死亡広告の情報を記憶する死亡広告掲載申込者側データベースと、ユーザからのユーザの属性の情報を記憶するユーザ側データベースとを有するサーバ装置と、
前記サーバ装置にインターネット回線を介して故人の属性と死亡広告の情報の送信が可能な死亡広告掲載申込者側端末装置と、
前記サーバ装置に前記インターネット回線を介して予めユーザの属性の情報を送信し、  前記サーバ装置から死亡広告の情報の受信が可能なユーザ側端末装置と
を備え、
前記サーバ装置は、前記プログラムを実行し、
前記ユーザ側端末装置から受信したユーザの属性の情報を前記ユーザ側データベースに記憶し、
前記死亡広告掲載申込者側端末装置から受信した故人の属性と死亡広告の情報を前記死亡広告掲載申込者側データベースに記憶し、
前記ユーザ側データベースに記憶されているユーザの属性の情報と、前記死亡広告掲載申込者側データベースに記憶されている故人の属性の情報とを比較し、
前記両属性の情報が一致している場合には、
前記死亡広告の情報を、前記ユーザ側端末装置へ配信することを特徴とする死亡広告情報提供システムである。
【００１１】
請求項２に記載の発明は、前記故人の属性の情報と、前記ユーザの属性の情報は、都道府県、出身校、職歴を含み、
前記都道府県、出身校、職歴のうち少なくとも１以上が一致している場合には、
前記死亡広告の情報を配信することを特徴とする請求項１に記載の死亡広告情報提供システムである。
【００１２】
請求項３に記載の発明は、前記死亡広告の情報は、葬儀が開催される場所のＵＲＬや葬儀場のＵＲＬを含むことを特徴とする請求項１または請求項２に記載の死亡広告情報提供システムである。
【００１３】
請求項４に記載の発明は、前記ユーザ側端末装置は、ユーザのメールアドレスを前記ユーザ側データベースに登録可能であり、
前記両属性の情報が一致している場合には、
前記メールアドレスに対して前記死亡広告の情報を知らせるメールが送信されることを特徴とする請求項１乃至請求項３のいずれか１項に記載の死亡広告情報提供システムである。
【００１４】
請求項５に記載の発明は、前記ユーザ側端末装置は、前記サーバ装置へアクセスし、弔電の申込、または供花の申込が可能であることを特徴とする請求項１乃至請求項４のいずれか１項に記載の死亡広告情報提供システムである。
【００１５】
請求項６に記載の発明は、前記ユーザ側端末装置は、前記サーバ装置へアクセスし、
前記サーバ装置から配信された前記死亡広告の情報の履歴を閲覧可能であることを特徴とする請求項１乃至請求項４のいずれか１項に記載の死亡広告情報提供システムである。
【００１６】
請求項７に記載の発明は、前記ユーザ側端末装置は、前記サーバ装置へアクセスし、
前記サーバ装置から配信された前記死亡広告の情報を検索可能であることを特徴とする請求項１乃至請求項４のいずれか１項に記載の死亡広告情報提供システムである。
【発明の効果】
【００１７】
前記構成により、この発明は、以下のような効果を有する。
【００１８】
請求項１に記載の発明では、ユーザ側データベースに予め記憶されているユーザの属性の情報と、死亡広告掲載申込者側データベースに記憶されている故人の属性の情報とを比較し、両属性の情報が一致している場合には、死亡広告の情報を、ユーザ側端末装置へ配信することで、自動的に死亡広告の情報を伝えるべき人のみに知らせることが可能である。また、属性の情報により関連性がある可能性の高い死亡広告のみが配信され、情報の取りこぼしを防ぐことができ、さらに時間短縮に知ることができ、ユーザは新聞購読の必要性から解放され、コスト削減も可能である。
【００１９】
請求項２に記載の発明では、故人の属性の情報と、ユーザの属性の情報は、都道府県、出身校、職歴を含み、都道府県、出身校、職歴のうち少なくとも１以上が一致している場合には、死亡広告の情報を、ユーザ側端末装置へ配信することで、属性の情報により関連性がある可能性の高い死亡広告のみが配信され、死亡広告の情報を伝えるべき人のみに知らせることが可能である。
【００２０】
請求項３に記載の発明では、死亡広告の情報は、葬儀が開催される場所のＵＲＬや葬儀場のＵＲＬを含むことで、ユーザは容易に葬儀の開催場所の確認をすることができる。
【００２１】
請求項４に記載の発明では、両属性の情報が一致している場合には、ユーザ側端末装置からユーザのメールアドレスに対して死亡広告の情報を知らせるメールが送信され、死亡広告の情報を伝えるべき人のみに確実に知らせることが可能である。
【００２２】
請求項５に記載の発明では、サーバ装置へアクセスし、弔電の申込、または供花の申込が可能である。
【００２３】
請求項６に記載の発明では、サーバ装置へアクセスし、サーバ装置から配信された死亡広告の情報の履歴を閲覧可能である。
【００２４】
請求項７に記載の発明では、サーバ装置へアクセスし、サーバ装置から配信された死亡広告の情報を検索可能である。
【図面の簡単な説明】
【００２５】
【図１】死亡広告情報提供システムの基本構成図である。
【図２】サーバ装置の構成図である。
【図３】死亡広告掲載申込者側端末装置からの実行フロー１を示す図である。
【図４】死亡広告掲載申込者側端末装置からの実行フロー２を示す図である。
【図５】トップ画面を示す図である。
【図６】利用規約同意画面を示す図である。
【図７】申込者画面を示す図である。
【図８】文面の入力画面を示す図である。
【図９】文面の入力画面の定型文１を示す図である。
【図１０】文面の入力画面の定型文２を示す図である。
【図１１】文面の入力画面の定型文３を示す図である。
【図１２】文面の入力画面の定型文４を示す図である。
【図１３】掲載文確認画面を示す図である。
【図１４】属性分類１の画面を示す図である。
【図１５】属性分類２の画面を示す図である。
【図１６】属性分類３の画面を示す図である。
【図１７】属性分類絞込み選択の画面を示す図である。
【図１８】申込内容確認の画面を示す図である。
【図１９】決済申込確認の画面を示す図である。
【図２０】決済申込中断の画面を示す図である。
【図２１】クレジットカード情報の画面を示す図である。
【図２２】死亡広告掲載手続き完了の画面を示す図である。
【図２３】手続き中断画面を示す図である。
【図２４】ユーザ側端末装置からの実行フロー１を示す図である。
【図２５】ユーザ側端末装置からの実行フロー２を示す図である。
【図２６】死亡広告閲覧手続の画面を示す図である。
【図２７】パスワードの問い合わせの画面を示す図である。
【図２８】確認メールの送信画面を示す図である。
【図２９】確認メールの送信エラーの画面を示す図である。
【図３０】会員登録により、ＩＤ（メールアドレス）と生年月日、パスワード（任意）を登録する画面を示す図である。
【図３１】ＩＤ（メールアドレス）が既に登録済みを知らせる図である。
【図３２】会員登録属性分類１の画面を示す図である。
【図３３】会員登録属性分類２の画面を示す図である。
【図３４】会員登録属性分類３の画面を示す図である。
【図３５】会員登録登録キーワードの入力画面を示す図である。
【図３６】会員登録内容の画面を示す図である。
【図３７】会員登録完了の画面を示す図である。
【図３８】死亡広告閲覧の画面を示す図である。
【図３９】ログアウト画面を示す図である。
【図４０】会員登録情報の変更手続き属性分類１の画面を示す図である。
【図４１】会員登録情報の変更手続き属性分類２の画面を示す図である。
【図４２】会員登録情報の変更手続き属性分類３の画面を示す図である。
【図４３】会員登録情報の変更手続き登録キーワードの入力画面を示す図である。
【図４４】会員登録情報の変更手続き内容の画面を示す図である。
【図４５】会員登録情報の変更手続き登録完了の画面を示す図である。
【発明を実施するための形態】
【００２６】
以下、この発明の死亡広告情報提供システムの実施の形態について説明する。この発明の実施の形態は、発明の最も好ましい形態を示すものであり、この発明はこれに限定されない。
【００２７】
図１は死亡広告情報提供システムの基本構成図、図２はサーバ装置の構成図である。この実施の形態の死亡広告情報提供システム１は、図１に示すように、サーバ装置１０と、死亡広告掲載申込者側端末装置２０と、ユーザ側端末装置３０とを備え、これらはインターネット回線を介して通信可能になっている。
【００２８】
サーバ装置１０は、図２に示すように、死亡広告の情報を提供するサービスを実行するプログラム１１と、死亡広告掲載申込者からの故人の属性と死亡広告の情報を記憶する死亡広告掲載申込者側データベース１２と、ユーザからのユーザの属性の情報を記憶するユーザ側データベース１３と、死亡広告の情報を配信して保存する死亡広告情報配信ファイル１４とを有する。
【００２９】
死亡広告掲載申込者側端末装置２０は、サーバ装置１０にインターネット回線を介して故人の属性と死亡広告の情報の送信が可能であり、パソコン本体と、キーボード、マウス等の入力装置、液晶ディスプレイ等の表示装置から構成されるパーソナルコンピュータが用いられるが、携帯電話などの移動端末などでもよい。
【００３０】
ユーザ側端末装置３０は、サーバ装置１０にインターネット回線を介して予めユーザの属性の情報を登録し、サーバ装置１０から死亡広告の情報の受信が可能であり、パソコン本体と、キーボード、マウス等の入力装置、液晶ディスプレイ等の表示装置から構成されるパーソナルコンピュータが用いられるが、携帯電話などの移動端末などでもよい。
【００３１】
次に、この死亡広告情報提供システム１の実行を、図３乃至図４５に基づいて説明する。図３乃至図２３は死亡広告掲載申込者側端末装置からの実行フローを示す図、図２４乃至図４５はユーザ側端末装置からの実行フローを示す図である。
【００３２】
まず、図３乃至図２３に基づき死亡広告掲載申込者側端末装置２０からの実行フローを説明する。死亡広告掲載申込者側端末装置２０を起動してサーバ装置１０がプログラムを実行すると、トップ画面が表示される（ＳＡ１１、図５）。
【００３３】
トップ画面において、「死亡広告掲載ご希望の方」のバーをクリックすると、利用規約同意画面に切り替わり（ＳＡ１２、図６）、「同意する」のバーをクリックすると、申込者画面に切り替わり（ＳＡ１３、図７）、「次の画面へ進む」のバーをクリックすると、文面の入力画面に切り替わる（ＳＡ１４、図８）。
【００３４】
文面の入力画面では、死亡広告の情報を文面で入力し、この死亡広告の情報には、都道府県、出身校、職歴などが含まれ、さらに葬儀が開催される場所のＵＲＬや葬儀場のＵＲＬなどが入力される。また、遺影写真を登録（アップロード）することができる。また、文面の入力画面には、「定型文１」のバー、「定型文２」のバー、「定型文３」のバー、「定型文４」のバーがあり、いずれかのバーをクリックすると、それぞれに対応した画面が重ねて表示され（ＳＡ１５〜Ｓ１８、図９〜図１２）、いずれかの選択した定型文に基づいて入力することができる。
【００３５】
文面の入力画面において、「次の画面へ進む」のバーをクリックすると、掲載文確認画面に切り替わり（ＳＡ１９、図１３）、掲載文確認画面において掲載する死亡広告の情報を確認し、内容に訂正があると「前の画面に戻る」のバーをクリックし、前の訂正する画面に戻り訂正し、内容に間違えがないときには「次の画面へ進む」のバーをクリックし、属性分類１の画面に切り替わる    （ＳＡ２０、図１４）。
【００３６】
属性分類１の画面には、希望配信先の都道府県と市区分が選択可能になっており（ＳＡ２０、図１４）、所定の配信先を選択して「次の画面へ進む」のバーをクリックすると、属性分類２の画面に切り替わる（ＳＡ２１、図１５）。
【００３７】
属性分類２の画面には、希望学校名が選択可能になっており（ＳＡ２１、図１５）、所定の希望学校名を選択して「次の画面へ進む」のバーをクリックすると、属性分類３の画面に切り替わる（ＳＡ２２、図１６）。
【００３８】
属性分類３の画面には、希望業種名が選択可能になっており（ＳＡ２２、図１６）、所定の希望業種名を選択して「次の画面へ進む」のバーをクリックすると、属性分類絞込み選択の画面に切り替わる（ＳＡ２３、図１７）。
【００３９】
属性分類絞込み選択の画面では、希望配信先の都道府県と市区分と、希望学校名と、希望業種名のいずれか１の絞込み選択、またはこれらの組み合わせの絞込み選択を行う。故人の属性の情報（都道府県、出身校、職歴）をどの組み合わせ条件で配信するか選択する。「次の画面へ進む」のバーをクリックすると、申込内容確認の画面に切り替わる（ＳＡ２４、図１８）。
【００４０】
申込内容確認の画面では、訂正がある場合は「前の画面に戻る」のバーをクリックすると前の画面に戻り、申込内容に間違えがなければ「次の画面へ進む」のバーをクリックすると、決済申込確認の画面に切り替わり（ＳＡ２５、図１９）、決済利用者同意事項に「同意して申し込む」の項目をチェックせずに「次の画面へ進む」のバーをクリックすると決済が中断される（ＳＡ２６、図２０）。
【００４１】
決済申込確認の画面では、決済利用者同意事項が表示され、「同意して申し込む」の項目をチェックし、「次の画面へ進む」のバーをクリックすると、クレジットカード情報の画面に切り替わる（ＳＡ２７、図２１）。
【００４２】
クレジットカード情報の画面では、クレジット番号と有効期限を入力して「次の画面へ進む」のバーをクリックすると、死亡広告掲載手続き完了の画面に切り替わり（ＳＡ２８、図２２）、「トップ画面に戻る」のバーをクリックすると、トップ画面に戻り死亡広告掲載手続が完了する。（ＳＡ３０、図５）
この死亡広告掲載手続きにおいて、キー操作がないまま一定時間が経過すると、手続き中断画面に切り替わり（ＳＡ２９、図２３）、この手続き中断画面において、「トップ画面に戻る」のバーをクリックすると、トップ画面（ＳＡ３０、図５）に戻り、再度死亡広告掲載申込手続きをはじめから行わなければならない。
【００４３】
次に、図２４乃至図４５に基づきユーザ側端末装置３０からの実行フローを説明する。ユーザ側端末装置３０を起動してサーバ装置１０がプログラムを実行すると、死亡広告閲覧方法と会員登録の手続きのトップ画面が表示される（ＳＢ１１、図５）。
【００４４】
トップ画面において、「死亡広告閲覧ご希望の方」のバーをクリックすると、死亡広告閲覧手続の画面に切り替わり（ＳＢ１２、図２６）、死亡広告閲覧手続の画面において、初めて利用するユーザは、会員登録をし、既に登録している場合にはログインする。
【００４５】
既に登録済みの会員の場合、ログインするには、ＩＤ（メールアドレス）を入力し、さらにパスワードを入力し、「次の画面へ進む」のバーをクリックすると、死亡広告閲覧の画面に切り替わる（ＳＢ１３、図３８）。「次回から自動でログインする」にチェックを入れてログインすると、次回からＩＤ（メールアドレス）とパスワードを入力することなくトップ画面から直接死亡広告閲覧の画面に切り替わる。
【００４６】
パスワードを忘れたユーザは、「パスワードを忘れた方」の文字をクリックするとパスワードの問い合わせの画面に切り替わり（ＳＢ１４、図２７）、パスワードの問い合わせの画面において、ＩＤ（メールアドレス）とユーザの生年月日を入力し、「パスワードを問い合わせる」のバーをクリックすると、確認メールの送信完了済みの表示画面に切り替わり（ＳＢ１５、図２８）、ユーザの登録メールアドレスに登録パスワードが送られる。確認メールの送信完了済みの表示画面において、「ログイン」のバーをクリックすると、ログインの画面に切り替わる。（ＳＢ１２、図２６）
ＩＤ（メールアドレス）と生年月日が一致しないと、確認メールの送信エラーの画面に切り替わり（ＳＢ１６、図２９）、「前の画面に戻る」のバーをクリックすると、パスワードの問い合わせの画面に切り替わり、再度パスワードの問い合わせの画面において、ＩＤ（メールアドレス）を入力し、ユーザの生年月日を入力し、「パスワードを問い合わせる」のバーをクリックし、パスワードの問い合わせを行う。
【００４７】
パスワードの問い合わせを行うことで、死亡広告閲覧手続の画面において、ＩＤ（メールアドレス）を入力し、さらにパスワードを入力し、「次の画面へ進む」のバーをクリックすると、死亡広告閲覧の画面に切り替わる（ＳＢ１３、図３８）。
【００４８】
また、死亡広告閲覧手続の画面において、会員登録がされていないユーザは、「会員登録」のバーをクリックすると、会員登録の画面に切り替わる（ＳＢ１７、図３０）。会員登録の画面において、ＩＤ（メールアドレス）を入力し、さらにユーザの生年月日、パスワード（任意）を入力し、「次の画面へ進む」のバーをクリックすると、引き続き会員登録の画面に切り替わる（ＳＢ１９、図３２）。ＩＤ（メールアドレス）が既に登録済みの場合は「既にＩＤ（メールアドレス）が登録済み」という表示画面（ＳＢ１８、図３１）に切り替わり、会員登録を進めることが出来ないため、「前の画面に戻る」バーをクリックし、違うＩＤ（メールアドレス）で登録しなければならない。
【００４９】
会員登録の画面において、「次の画面へ進む」のバーをクリックすると、会員登録属性分類１の画面に切り替わる（ＳＢ１９、図３２）。会員登録属性分類１の画面には、希望配信先の都道府県と市区分が選択可能になっており（ＳＢ１９、図３２）、所定の配信先を選択して「次の画面へ進む」のバーをクリックすると、会員登録属性分類２の画面に切り替わる（ＳＢ２０、図３３）。
【００５０】
会員登録属性分類２の画面には、希望学校名が選択可能になっており（ＳＢ２０、図３３）、所定の希望学校名を選択して「次の画面へ進む」のバーをクリックすると、会員登録属性分類３の画面に切り替わる（ＳＢ２１、図３４）。
【００５１】
会員登録属性分類３の画面には、希望業種名が選択可能になっており（ＳＢ２１、図３４）、所定の希望業種名を選択して「次の画面へ進む」のバーをクリックすると、会員登録登録キーワードの入力画面に切り替わる（ＳＢ２２、図３５）。会員登録登録キーワードの入力画面において、配信される情報源をキーワードで検索するためのキーワードを入力して「次の画面へ進む」のバーをクリックすると、会員登録内容の画面に切り替わる（ＳＢ２３、図３６）。
【００５２】
会員登録内容の画面において、会員登録内容を確認し、属性分類とキーワードの絞込みを選択して受信するようにし、「次の画面へ進む」のバーをクリックすると、会員登録完了の画面に切り替わり（ＳＢ２４、図３７）、登録されたメールアドレスに登録内容が送信される。
【００５３】
会員登録完了の画面において、「マイページ画面に移る」をクリックすると、死亡広告閲覧の画面に切り替わり（ＳＢ１３、図３８）、この死亡広告閲覧の画面では、登録された属性の死亡広告を閲覧絞込み機能で検索可能であり、また葬儀の開催場所の確認や供花、弔電の申し込みが可能、また登録情報の変更が可能になっている（ＳＢ１３、図３８）。
【００５４】
死亡広告閲覧の画面において、「ログアウト」をクリックすると、ログアウト画面に切り替わる（ＳＢ２５、図３９）。ログアウト画面において、「トップ画面に戻る」をクリックすると、死亡広告閲覧方法と会員登録の手続きのトップ画面が表示され、死亡広告の閲覧手続きが終了する（ＳＢ１１、図５）。
【００５５】
死亡広告閲覧の画面（ＳＢ２７、図３８）において、「登録情報変更」をクリックすると、会員登録情報の変更手続き属性分類１の画面に切り替わり（ＳＢ２９、図４０）、会員登録情報の変更手続きを行う。予め登録した会員登録情報の変更手続きを行う場合には、ユーザ側端末装置３０を起動してサーバ装置１０がプログラムを実行すると、死亡広告閲覧方法と会員登録の手続きのトップ画面が表示され（ＳＢ１１、図５）、会員登録情報の変更手続きを行う場合には、トップ画面において、「死亡広告閲覧ご希望の方」のバーをクリックすると、死亡広告閲覧手続の画面に切り替わり（ＳＢ２６、図２６）、死亡広告閲覧手続の画面において、会員登録がされていないユーザ、またはパスワードを忘れたユーザは、前記した手続きを行う。
死亡広告閲覧の画面（ＳＢ２７、図３８）において、「登録情報変更」をクリックすると、会員登録情報の変更手続き属性分類１の画面に切り替わり（ＳＢ２９、図４０）、「ログアウト」をクリックすると、ログアウト画面に切り替わり（ＳＢ２８、図３９）、ログアウト画面において、「トップ画面に戻る」をクリックすると、死亡広告閲覧方法と会員登録の手続きのトップ画面が表示され、死亡広告の閲覧手続きが終了する。（ＳＢ１１、図５）
会員登録情報の変更手続き属性分類１の画面において、希望配信先の都道府県と市区分が選択可能になっており（ＳＢ２９、図４０）、所定の配信先を選択して変更し、「次の画面へ進む」のバーをクリックすると、会員登録情報の変更手続き属性分類２の画面に切り替わる（ＳＢ３０、図４１）。
【００５６】
会員登録情報の変更手続き属性分類２の画面には、希望学校名が選択可能になっており（ＳＢ３０、図４１）、所定の希望学校名を選択して変更し、「次の画面へ進む」のバーをクリックすると、会員登録情報の変更手続き属性分類３の画面に切り替わる（ＳＢ３１、図４２）。
【００５７】
会員登録情報の変更手続き属性分類３の画面には、希望業種名が選択可能になっており（ＳＢ３１、図４２）、所定の希望業種名を選択して変更し、「次の画面へ進む」のバーをクリックすると、会員登録情報の変更手続き登録キーワードの入力画面に切り替わる（ＳＢ３２、図４３）。会員登録情報の変更手続き登録キーワードの入力画面において、配信される情報源をキーワードで検索するためのキーワードを訂正入力して「次の画面へ進む」のバーをクリックすると、会員登録情報の変更手続き内容の画面に切り替わる（ＳＢ３３、図４４）。
【００５８】
会員登録情報の変更手続き内容の画面において、会員登録情報の変更手続きの内容を確認し、属性分類とキーワードの絞込みを選択して受信するようにし、「次の画面へ進む」のバーをクリックすると、会員登録情報の変更手続き登録完了の画面に切り替わり（ＳＢ３４、図４５）、登録されたメールアドレスに変更された登録内容が送信される。
【００５９】
会員登録情報の変更手続き登録完了の画面において、「マイページ画面に移る」をクリックすると、死亡広告閲覧の画面に切り替わり（ＳＢ２７、図３８）、この死亡広告閲覧の画面では、会員登録情報の変更手続きによって変更登録された属性の死亡広告を閲覧絞込み機能で検索可能であり、また葬儀の開催場所の確認や供花、弔電の申し込みが可能、また登録情報の変更が可能になっている。
【００６０】
死亡広告閲覧の画面において、「ログアウト」をクリックすると、ログアウト画面に切り替わる（ＳＢ２８、図３９）。ログアウト画面において、「トップ画面に戻る」をクリックすると、死亡広告閲覧方法と会員登録の手続きのトップ画面が表示され、死亡広告の閲覧手続きが終了する（ＳＢ１１、図５）。
【００６１】
この死亡広告情報提供システム１は、図３乃至図４５に示すように実行され、サーバ装置１０のプログラム１１は、死亡広告掲載申込者側端末装置２０から受信した死亡広告掲載申込者からの故人の属性と死亡広告の情報を死亡広告掲載申込者側データベース１２に記憶し、ユーザ側端末装置３０から受信したユーザの属性の情報をユーザ側データベース１３に記憶し、ユーザ側データベース１３に予め記憶されているユーザの属性の情報と、死亡広告掲載申込者側データベース１２に記憶されている故人の属性の情報とを比較し、両属性の情報が一致している場合には、死亡広告の情報を、ユーザ側端末装置３０へ配信し、死亡広告情報配信ファイル１４に保存する。
【００６２】
この実施の形態の死亡広告情報提供システム１では、サーバ装置１０のプログラム１１の実行によって、ユーザ側データベース１３に予め記憶されているユーザの属性の情報と、死亡広告掲載申込者側データベース１２に記憶されている故人の属性の情報とを比較し、両属性の情報が一致している場合には、死亡広告の情報を、ユーザ側端末装置３０へ配信し、自動的に死亡広告の情報を伝えるべき人のみに知らせることが可能である。また、属性の情報により関連性がある可能性の高い死亡広告のみが配信され、情報の取りこぼしを防ぐことができ、さらに時間短縮に知ることができ、ユーザは新聞購読の必要性から解放され、コスト削減も可能である。
【００６３】
また、故人の属性の情報と、ユーザの属性の情報は、都道府県、出身校、職歴を含み、都道府県、出身校、職歴のうち少なくとも１以上が一致している場合には、死亡広告の情報を、ユーザ側端末装置３０へ配信し、属性の情報により関連性がある可能性の高い死亡広告のみが配信され、死亡広告の情報を伝えるべき人のみに知らせることが可能である。
【００６４】
また、死亡広告の情報は、葬儀が開催される場所のＵＲＬや葬儀場のＵＲＬを含むことで、ユーザは容易に葬儀の開催場所を確認し、容易に葬儀に参列することができる。
【００６５】
また、ユーザ側端末装置３０は、メールアドレスをユーザ側データベース１３に登録可能であり、両属性の情報が一致している場合には、メールアドレスに対して死亡広告の情報を知らせるメールが送信され、死亡広告の情報を伝えるべき人のみに確実に知らせることが可能である。
【００６６】
また、ユーザ側端末装置３０は、サーバ装置１０へアクセスし、弔電の申込、または供花の申込が可能である。
【００６７】
また、ユーザ側端末装置３０は、サーバ装置１０へアクセスし、サーバ装置１０から配信され、死亡広告情報配信ファイル１４に保存された死亡広告の情報の履歴を閲覧可能であり、必要に応じて死亡広告の情報の履歴を閲覧して確認することができる。
【００６８】
また、ユーザ側端末装置３０は、サーバ装置１０へアクセスし、サーバ装置１０から配信され、死亡広告情報配信ファイル１４に保存された死亡広告の情報を検索可能である。
【産業上の利用可能性】
【００６９】
この発明は、死亡広告の情報を伝えるべき人のみに知らせることが可能な死亡広告情報提供システムに適用可能で、死亡広告の情報を伝えるべき人のみに知らせることができる。
【符号の説明】
【００７０】
１  死亡広告情報提供システム
１０  サーバ装置
１１  プログラム
１２  死亡広告掲載申込者側データベース
１３  ユーザ側データベース
１４  死亡広告情報配信ファイル
２０  死亡広告掲載申込者側端末装置
３０  ユーザ側端末装置
【図１】
2011165057.tif 000003
【図２】
2011165057.tif 000004
【図３】
2011165057.tif 000005
【図４】
2011165057.tif 000006
【図５】
2011165057.tif 000007
【図６】
2011165057.tif 000008
【図７】
2011165057.tif 000009
【図８】
2011165057.tif 000010
【図９】
2011165057.tif 000011
【図１０】
2011165057.tif 000012
【図１１】
2011165057.tif 000013
【図１２】
2011165057.tif 000014
【図１３】
2011165057.tif 000015
【図１４】
2011165057.tif 000016
【図１５】
2011165057.tif 000017
【図１６】
2011165057.tif 000018
【図１７】
2011165057.tif 000019
【図１８】
2011165057.tif 000020
【図１９】
2011165057.tif 000021
【図２０】
2011165057.tif 000022
【図２１】
2011165057.tif 000023
【図２２】
2011165057.tif 000024
【図２３】
2011165057.tif 000025
【図２４】
2011165057.tif 000026
【図２５】
2011165057.tif 000027
【図２６】
2011165057.tif 000028
【図２７】
2011165057.tif 000029
【図２８】
2011165057.tif 000030
【図２９】
2011165057.tif 000031
【図３０】
2011165057.tif 000032
【図３１】
2011165057.tif 000033
【図３２】
2011165057.tif 000034
【図３３】
2011165057.tif 000035
【図３４】
2011165057.tif 000036
【図３５】
2011165057.tif 000037
【図３６】
2011165057.tif 000038
【図３７】
2011165057.tif 000039
【図３８】
2011165057.tif 000040
【図３９】
2011165057.tif 000041
【図４０】
2011165057.tif 000042
【図４１】
2011165057.tif 000043
【図４２】
2011165057.tif 000044
【図４３】
2011165057.tif 000045
【図４４】
2011165057.tif 000046
【図４５】
2011165057.tif 000047